(57)【要約】【課題】簡単に組立てることができ、一旦組立てたものを同様に簡単な操作で再び平坦なものにすることができる自立表示体を提供する。【解決手段】１枚のブランクを折罫線に沿って折ることによって組み立てる表示体本体と表示板とからなる自立表示体であって、正面板と、保形板と、背面板と、支持板とを有し、正面板の上下の折罫線を山折りして背面板と支持板を正面板の後に折り込み、支持板の先端中央部に突設された差込片を背面板に形成された押圧片切込みに挿入して係止することにより自立するものであり、差込片には引掛片折罫線を介して引掛片が連設されており、押圧片切込みは、矩形の押圧片を形成し、背面板の下に支持板を折り込んで平らにした時に、押圧片の上において差込片の先端をすべて挿入し得る位置に形成されており、押圧片切込みの幅をＡ、差込片の幅をＢ、引掛片の幅をＣ、紙の厚さをＤとした時に、Ｂ＋２Ｄ≦Ａ＜Ｃであることを特徴とする。【選択図】図１
2012086458.tif 000002
【特許請求の範囲】
【請求項１】
１枚の紙製ブランクを折罫線に沿って折ることによって組み立てることができる表示体本体とこれに収納される表示板とからなる自立表示体であって、
表示体本体は、表示板を表出する窓を有する正面板と、正面板の一方の側面に折罫線を介して連設され、正面板と共に前記表示板を保持する保形板と、正面板の上辺に折罫線を介して連設され、正面板とほぼ同じ高さを持った背面板と、正面板の下辺に折罫線を介して連設された支持板とを有し、
前記表示体本体は、正面板の上下の折罫線を山折りして背面板と支持板を正面板の後に折り込み、支持板の先端中央部に突設された差込片を背面板に形成された押圧片切込みに挿入して係止することにより自立するものであり、
前記差込片の左右両端には引掛片折罫線を介して引掛片が連設されており、
前記押圧片切込みは、箱形をなし、矩形の押圧片を形成し、さらに前記背面板の下に前記支持板を折り込んで平らな状態にした時に、前記押圧片の上において前記差込片の先端をすべて挿入し得る位置に形成されており、
該押圧片切込みの幅をＡ、前記差込片の幅をＢ、前記引掛片の幅をＣ、紙の厚さをＤとした時に、Ｂ＋２Ｄ≦Ａ＜Ｃであることを特徴とする自立表示体。
【請求項２】
前記支持板の長さは、前記背面板の高さのほぼ２／３であり、前記押圧片切込みの高さは前記背面板の高さのほぼ１／３であり、背面板の高さ方向のほぼ中央に位置することを特徴とする請求項１に記載の自立表示体。
【請求項３】
前記表示板はカレンダーを構成するものであることを特徴とする請求項１または２に記載の自立表示体。
【請求項４】
前記正面板の周囲の折罫線は２重罫線であり、厚さの厚い表示板を収納できるようにしたことを特徴とする請求項１〜３のいずれか１項に記載の自立表示体。
【請求項５】
背面板の上部に吊下げ用係止片を設けたことを特徴とする請求項１〜４のいずれか１項に記載の自立表示体。
【発明の詳細な説明】
【技術分野】
【０００１】
本発明は、主に卓上に置いて使用する自立性の紙製表示体に関し、特に卓上カレンダー等として好適に使用できる、組み立てが容易な自立表示体に関する。
【背景技術】
【０００２】
卓上カレンダーに代表される自立性の表示体としては、さまざまな材質、構造のものが知られているが、近年地球環境保護に対する意識の高まりに応じて、再生産可能な資源である紙を用いたものが改めて注目されるようになってきた。
【０００３】
紙製の卓上カレンダーの例として、出願人の出願になる特許文献１に記載された卓上カレンダーは、カレンダーを保持して表示する正面板および保形板と、正面板を倒れないように斜めに保持する上背面板と、上背面板が開いてしまわないように固定する下背面板とから構成される卓上カレンダーである。
【０００４】
特許文献１に記載された卓上カレンダーは、１枚の紙製ブランクを折罫線に沿って折り畳むことによって、容易に組み立てることができ、構造も簡単であり組み立て方も一見して分かり易いという長所を持ったものである。
【０００５】
特許文献２に記載された支え板固定構造体は、表示板であるＰＲ板の背面に、ＰＲ板を斜めに保持する支え板と、支え板が開いてしまわないように固定する橋板とを取り付けた構造体である。特許文献２に記載された支え板固定構造体は、材質が紙に限定されないという長所はあるものの、組み立て工程において、貼り加工が必要であるという欠点がある。
【先行技術文献】
【特許文献】
【０００６】
【特許文献１】特許第3714096号公報
【特許文献２】特許第3186736号公報
【発明の概要】
【発明が解決しようとする課題】
【０００７】
特許文献１に記載された卓上カレンダーと特許文献２に記載された支え板固定構造体には、共通する構造が認められる。それは、特許文献１においては、上背面板に設けたＵ字型の切れ目に下背面板の先端に設けた係止片を差し込んで固定する際に、係止片の付け根にくびれを設けておき、このくびれがＵ字型の切目の最下部に設けた係止孔に引っ掛かるように、係止孔に幅が狭い段部を設け、くびれが段部に落ち込むことによって抜けずに固定されるようにした構造である。
【０００８】
一方特許文献２に記載された支え板固定構造体においては、同様にＵ字型の切れ目の最下部を下すぼまりの形状とし、橋板の先端の差込片の付け根に設けたくびれが、この幅がすぼまった部分に引っ掛かるようにした構造である。
【０００９】
この両者には共通する問題点があり、それはユーザーが組み立てて使用する際に、係止片あるいは差込片を、Ｕ字型の切れ目に差し込んで固定するという組み立て操作を必要とする点と、一旦組み立てたものを解体する際には、組み立てた時と逆の操作をしなければならないという問題である。
【００１０】
本発明の解決しようとする課題は、最終ユーザーが使用する際に極めて簡単に組み立てることができ、一旦組み立てたものを同様に極めて簡単な操作で再び平坦なものにすることができる自立表示体を提供するものである。
【課題を解決するための手段】
【００１１】
上記の課題を解決するための手段として、請求項１に記載の発明は、１枚の紙製ブランクを折罫線に沿って折ることによって組み立てることができる表示体本体とこれに収納される表示板とからなる自立表示体であって、表示体本体は、表示板を表出する窓を有する正面板と、正面板の一方の側面に折罫線を介して連設され、正面板と共に前記表示板を保持する保形板と、正面板の上辺に折罫線を介して連設され、正面板とほぼ同じ高さを持った背面板と、正面板の下辺に折罫線を介して連設された支持板とを有し、前記表示体本体は、正面板の上下の折罫線を山折りして背面板と支持板を正面板の後に折り込み、支持板の先端中央部に突設された差込片を背面板に形成された押圧片切込みに挿入して係止することにより自立するものであり、前記差込片の左右両端には引掛片折罫線を介して引掛片が連設されており、前記押圧片切込みは、箱形をなし、矩形の押圧片を形成し、さらに前記背面板の下に前記支持板を折り込んで平らな状態にした時に、前記押圧片の上において前記差込片の先端をすべて挿入し得る位置に形成されており、該押圧片切込みの幅をＡ、前記差込片の幅をＢ、前記引掛片の幅をＣ、紙の厚さをＤとした時に、Ｂ＋２Ｄ≦Ａ＜Ｃであることを特徴とする自立表示体である。
【００１２】
また、請求項２に記載の発明は、前記支持板の長さが、前記背面板の高さのほぼ２／３であり、前記押圧片切込みの高さは前記背面板の高さのほぼ１／３であり、背面板の高さ方向のほぼ中央に位置することを特徴とする請求項１に記載の自立表示体である。
【００１３】
また、請求項３に記載の発明は、前記表示板がカレンダーを構成するものであることを特徴とする請求項１または２に記載の自立表示体である。
【００１４】
また、請求項４に記載の発明は、前記正面板の周囲の折罫線が２重罫線であり、厚さの厚い表示板を収納できるようにしたことを特徴とする請求項１〜３のいずれか１項に記載の自立表示体である。
【００１５】
また、請求項５に記載の発明は、背面板の上部に吊下げ用係止片を設けたことを特徴とする請求項１〜４のいずれか１項に記載の自立表示体である。
【発明の効果】
【００１６】
本発明に係る自立表示体は、１枚の紙製ブランクを折罫線に沿って折ることによって組み立てることができる表示体本体とこれに収納される表示板とからなるものであるため、すべての材料を紙とすることができる。このため金具やプラスチック部品を使用したものと比較して、使用後に不要となった時に、廃棄またはリサイクルする操作が極めて容易にできる。
【００１７】
表示体本体は、１枚の紙製ブランクを折罫線に沿って折ることによって組み立てることができ、接着剤等の固定手段を必要としない。このため製造時におけるセットが容易である。
【００１８】
表示体本体は、正面板の上下の折罫線を山折りして背面板と支持板を正面板の後に折り込み、支持板の先端中央部に突設された差込片を背面板に形成された押圧片切込みに挿入して係止することにより自立する構造であるため、接地部分は、正面板の下辺と背面板の下辺との２本の平行した直線であり、面で接地するものではないため、ぐらぐらせずに安定性が高い。
【００１９】
差込片の左右両端には引掛片折罫線を介して引掛片が連設されており、前記押圧片切込みは、箱形をなし、矩形の押圧片を形成し、さらに前記背面板の下に前記支持板を折り込んで平らな状態にした時に、前記押圧片の上において前記差込片の先端をすべて挿入し得る位置に形成されており、しかも引掛片の幅の方が、押圧片切込みの幅よりも広いため、引掛片折罫線が折れ曲がって押圧片切込みに挿入された引掛片は、一旦挿入された後には広がって押圧片切込みから抜けなくなる。このため一旦立体構造にした後でも、再度平らに押しつぶしたり、また立体構造に引き起こしたりといった操作が円滑に繰り返し行い得る。
【００２０】
また引掛片を押圧片切込みに挿入して引っ掛ける操作は、最初の引き起こしの際に自動的に行われるので、ユーザーにとって面倒な操作が不要であり、極めて使い勝手が良好である。
【００２１】
押圧片切込みの幅をＡ、差込片の幅をＢ、引掛片の幅をＣ、紙の厚さをＤとした時に、Ｂ＋２Ｄ≦Ａ＜Ｃであるようにしたことにより、差込片先端両側において折れ曲がった引掛片が押圧片切込みを通過できるとともに、通過後に紙の反発によって引掛片が自動的に広がった際には、押圧片切込みの幅よりも引掛片の幅が広いため、差込片が抜けなくなる。
【００２２】
請求項２に記載の発明において、支持板の長さが、正面板の高さのほぼ２／３であり、押圧片切込みの高さが背面板の高さのほぼ１／３であり、背面板の高さ方向のほぼ中央に位置するようにした場合においては、組み立てた際に正面板と背面板とがなす２等辺三角形の頂角の大きさが、約４０度となり、正面板の傾斜角度が約７０度となるため、表示体として適度な角度となり、また自立安定性も良好である。
【００２３】
本発明に係る自立表示体は、特に卓上カレンダーとして有用である。また正面板の周囲の折罫線を２重罫線とした場合には、厚さの厚い表示板あるいは、枚数の多い表示板を収納できる。またさらに、背面板の上部に吊下げ用係止片を設けることにより、吊り下げて使用することも可能となる。
【図面の簡単な説明】
【００２４】
【図１】図１は、本発明に係る自立表示体の一実施態様を示した斜視図である。
【図２】図２は、図１に示した自立表示体を裏面から見た状態を示した斜視図である。
【図３】図３は、図１、図２に示した自立表示体本体のブランクを示した平面説明図である。
【図４】図４は、本発明に係る自立表示体における差込片、引掛片、押圧片切込みの関係を示した説明図である。
【図５】図５は、本発明に係る自立表示体を折り畳んだ状態を示した平面説明図である。
【図６】図６は、図５の状態から差込片を引き起こして組み立てる過程の状態を示した斜視図である。
【図７】図７は、一旦組み立てた自立表示体を再度折り畳んだ状態を示した平面説明図である。
【発明を実施するための形態】
【００２５】
以下図面に従って、本発明に係る自立表示体について詳細に説明する。
図１は、本発明に係る自立表示体の一実施態様を示した斜視図である。また図２は、図１に示した自立表示体を裏面から見た状態を示した斜視図である。また図３は、図１、図２に示した自立表示体本体のブランクを示した平面説明図である。
本発明に係る自立表示体１は、１枚の紙製ブランク２ｂを折罫線３４、３５、３６に沿って折ることによって組み立てることができる表示体本体２とこれに収納される表示板１２とからなる。
これらの図に示された実施態様は、表示板１２が７曜表からなる卓上カレンダーである。
【００２６】
表示体本体２は、表示板１２を表出する窓７を有する正面板３と、正面板３の一方の側面に折罫線３４を介して連設され、正面板３と共に表示板１２を保持する保形板４と、正面板３の上辺に折罫線３５を介して連設され、正面板３とほぼ同じ高さを持った背面板５と、正面板３の下辺に折罫線３６を介して連設された支持板６とを有する。
【００２７】
正面板３に設けられた窓７の外側の部分は、額縁を形成し、正面板３と保形板４との間に収納された表示板１２が落下しないように保持する働きをしている。保形板４は、折罫線３４を山折りすることによって、正面板３の背板となり、正面板３との隙間に表示板１２を保持すると共に、表示体本体２の剛性を補強する役割を持っている。
【００２８】
表示体本体２は、正面板３の上下の折罫線３５、３６を山折りして背面板５と支持板６を正面板３の後に折り込み、支持板６の先端中央部に突設された差込片８を背面板５に形成された押圧片切込み１０ａに挿入して係止することにより自立するものである。
【００２９】
図４は、本発明に係る自立表示体における差込片８、引掛片９、押圧片切込み１０ａの関係を示した説明図である。押圧片切込み１０ａは、箱形をなし、矩形の押圧片１０を形成している。支持板６の先端中央部に突設された差込片８を矢印１３の方向に背面板５に形成された押圧片切込み１０ａに挿入する。差込片８の左右両端には引掛片折罫線８９を介して引掛片９が連設されている。
【００３０】
押圧片切込み１０ａは、図５に示したように背面板５の下に支持板６を折り込んで平らな状態にした時に、押圧片１０の上において差込片８の先端をすべて挿入し得る位置に形成されている。
【００３１】
図４に示したように、押圧片切込み１０ａの幅をＡ、差込片８の幅をＢ、引掛片９の幅をＣ、紙の厚さをＤとした時に、Ｂ＋２Ｄ≦Ａ＜Ｃであることを特徴とする。これは、差込片８の幅に紙の厚さＤの２倍を加えた長さが、押圧片切込み１０ａの幅Ａと等しいかこれよりも小さく、引掛片９の幅Ｃが押圧片切込み１０ａの幅Ａよりも大きい事を示している。これは、図５の状態から、図６のように差込片８を引き起こし、図２の状態にする時に、差込片８の左右両端に連設された引掛片９が自動的に折れ曲がって、押圧片切込み１０ａを通過し得ることを意味している。また一旦通過して押圧片切込み１０ａの外側に出た引掛片９は、押圧片切込み１０ａに引っ掛かった状態を保持する。
【００３２】
図５は、本発明に係る自立表示体を折り畳んでセットした状態のものを背面から見たところを示した平面説明図である。支持板６の先端中央部に突設した差込片８を背面板５に形成された押圧片切込み１０ａに挿入した状態を示している。押圧片切込み１０ａは、箱形をなし、矩形の押圧片１０（図５では隠れて見えない）の上に差込片８の先端をすべて挿入し得る位置に形成されている。
【００３３】
図５に示した実施態様においては、支持板の長さ６ｈは、背面板の高さ５ｈのほぼ２／３であり、押圧片切込みの高さ１０ｈは背面板の高さ５ｈのほぼ１／３であり、背面板５
の高さ方向のほぼ中央に位置する。このような寸法構成にすると、表示体本体２を組み立てた際に正面板３と背面板５とがなす２等辺三角形の頂角の大きさが、約４０度となり、正面板３の傾斜角度が約７０度となるため、表示体として適度な角度となり、また自立安定性も良好となる。但し背面板５の長さ、支持板６の長さ、押圧片切込みの高さ１０ｈおよび位置を変えることにより、正面板３の傾斜角度を変更することもできる。
【００３４】
図６は、図５の状態から差込片８を引き起こして組み立てる過程の状態を示した斜視図である。図５の状態から、差込片８を上方に引き上げると、図６のような状態になる。
すなわち、差込片８の左右両端に連設された引掛片９が、引掛片折罫線８９によって折れ曲がり、押圧片切込み１０ａを通過する。さらに差込片８を上方に引き上げると、引掛片９は、背面板５の外側に飛び出して自動的に広がり、図２のような状態になる。この時、差込片８は、押圧片１０によって下方に押さえつけられて、押圧片切込み１０ａの最下端の位置に固定されるため、表示体本体２は一定の形状で安定する。
【００３５】
図７は、一旦組み立てた自立表示体を再度折り畳んだ状態を示した平面説明図である。図２の状態から差込片８を上方に押し上げると、引掛片９が押圧片切込み１０ａの外側に飛び出した状態のまま図７に示したような状態になる。
図２の立てた状態と図７の折り畳んだ状態とは、相互に変換することが容易に可能であり、このことは、本発明に係る自立表示体の最大の特徴の一つである。
【００３６】
図２に示した実施態様においては、背面板５の上部に吊下げ用係止片１１が設けられている。吊下げ用係止片１１は、付け根の部分に設けた折罫線を１８０°折ることにより、表示体本体を平らに折り畳んだ状態で、吊り下げることができる。従って本発明に係る自立表示体は、自立させて使用することもできるし、吊り下げて使用することもできる。
【００３７】
また特に図示はしないが、正面板３の周囲の折罫線３４、３５、３６を２重罫線とすることにより、厚さの厚い表示板を収納することもできる。表示板の個々の厚さは薄いが、枚数が多い場合などにも有効である。
【００３８】
本発明に係る自立表示板は、卓上カレンダーとして特に有用であるが、カレンダー以外にも写真立てや商品の説明板等、さまざまな用途に応用することができるものである。
【符号の説明】
【００３９】
１・・・表示体
２・・・表示体本体
２ｂ・・・表示体本体ブランク
３・・・正面板
４・・・保形板
５・・・背面板
５ｈ・・・背面板の高さ
６・・・支持板
６ｈ・・・支持板の長さ
７・・・窓
８・・・差込片
Ｂ・・・差込片の幅
９・・・引掛片
Ｃ・・・引掛片の幅
１０・・・押圧片
１０ａ・・・押圧片切込み
１０ｈ・・・押圧片切込みの高さ
Ａ・・・押圧片切込みの幅
１１・・・吊下げ用係止片
１２・・・表示板
１３・・・挿入方向を示す矢印
３４・・・折罫線
３５・・・折罫線
３６・・・折罫線
８９・・・引掛片折罫線
【図１】
2012086458.tif 000003
【図２】
2012086458.tif 000004
【図３】
2012086458.tif 000005
【図４】
2012086458.tif 000006
【図５】
2012086458.tif 000007
【図６】
2012086458.tif 000008
【図７】
2012086458.tif 000009